(57)【要約】【課題】従来の無料の写真プリント注文方式では、注文する側は写真の内容は違っていても、サイズが同じで、また付加される広告を配置するタイプとして、広告を画像の中にあるか、画像の外にあるかがあるが、自分で選択できない欠点を有していた。【解決手段】写真と名前が掲載された第１の物品を示す第１の表示部と、写真とメモが掲載された第２の物品を示す第２の表示部と、写真のみが掲載された第３の物品を示す第３の表示部とを備え、前記物品を注文する所定数の注文受付表示部と、前記所定数の注文受付表示部で前記物品の指定を完了した時に次の画面に遷移することを許可する画像表示装置を提供するもので、複数ある種類の中から所定の数のものを選択することができる。【選択図】図１
2008262516.tif 000002
【特許請求の範囲】
【請求項１】
写真と名前が掲載された第１の物品を示す第１の表示部と、写真とメモが掲載された第２の物品を示す第２の表示部と、写真のみが掲載された第３の物品を示す第３の表示部とを備え、前記物品を注文する所定数の注文受付表示部と、前記所定数の注文受付表示部で前記物品の指定を完了した時に次の画面に遷移することを許可する画像表示装置。
【請求項２】
写真と名前が掲載された第１の物品、写真とメモが掲載された第２の物品、写真のみが掲載された第３の物品のうち、前記物品の内、その内訳を問わず、所定数の物品のみの注文を受け付ける注文受付表示部を備えた画像表示装置。
【請求項３】
前記物品は紙状のシートである請求項１または請求項２に記載の画像表示装置。
【請求項４】
前記物品は紙状のシールである請求項１または請求項２に記載の画像表示装置。                 
【発明の詳細な説明】
【技術分野】
【０００１】
本発明はコンピュータ等の画面上から物品の注文をすることができる画像表示装置に関する。
【背景技術】
【０００２】
従来、昨今、写真のプリント代が無料というサービスがあるが、電子アルバム上の画像を所定枚数の写真プリントを依頼できるようになっている。写真代が無料であるゆえにプリント枚数を無制限に多くしては広告主の負担が大きくなり、少ないと広告のインパクトがなくなるので採算性のある適当な所定数の写真プリントを依頼できるようになっている（例えば、非特許文献１）
【０００３】
図７は、従来例であるユーザーインターフェイス表示装置に係るコンピュータ上の画面の略図を示している。２０はディスプレイのディスプレイ画面、２１は画像の駒が複数ある電子アルバム画面、２２はプリントしたい画像を格納するプリントボックス画面を示す。電子アルバム画面２１に各駒を示す画像の駒が２５個あり、その中の画像の駒を所定数プリントボックス画面２２にドラッグアンドドロップ動作を行って格納してプリントが可能となる。
【０００４】
【非特許文献１】Ｐｒｉｅａ（プリア）ホームページ
【発明の開示】
【発明が解決しようとする課題】
【０００５】
以上に述べた従来の写真プリント注文方式では、写真に広告が付加されて無料でプリントして配送までしてくれるので顧客にとってプリント代を気にせずに写真を注文することが出来るメリットを有している。しかしながら注文する側は写真の内容は違っていても、サイズが同じで、また付加される広告を配置するタイプとして、広告を画像の中にあるか、画像の外にあるかがあるが、自分で選択できない欠点を有していた。ただ、プリントする側で広告の配置タイプを選択できるだけであった。
【０００６】
本発明は、このような従来の構成が有していた問題点を解決しようとするものであり、注文する側が自分で写真のタイプを選択できるものである。
【課題を解決するための手段】
【０００７】
本発明の請求項１は写真と名前が掲載された第１の物品を示す第１の表示部と、写真とメモが掲載された第２の物品を示す第２の表示部と、写真のみが掲載された第３の物品を示す第３の表示部とを備え、前記物品を注文する所定数の注文受付表示部と、前記所定数の注文受付表示部で前記物品の指定を完了した時に次の画面に遷移することを許可する画像表示装置を提供するものである。
【０００８】
本発明の請求項２は写真と名前が掲載された第１の物品、写真とメモが掲載された第２の物品、写真のみが掲載された第３の物品のうち、前記物品の内、その内訳を問わず、所定数の物品のみの注文を受け付ける注文受付表示部を備えた画像表示装置を提供することにある。
【０００９】
本発明の請求項３は請求項１あるいは２に従属し、前記物品は紙状のシートである画像表示装置を提供するものである。
【００１０】
本発明の請求項３は請求項１あるいは２に従属し、前記物品は紙状のシールである画像表示装置を提供するものである。
【発明の効果】
【００１１】
上述したように本発明の画像表示装置では、種類の異なる物品を合わせて所定数注文できるので変化に富んだ注文が可能である。また、実施例では３つの要素しか記述していないが、それに限らず複数あっても良い。
【発明を実施するための最良の形態】
【００１２】
以下、本発明の実施の形態を図１〜図５に基づいて説明する。
【００１３】
図１は本発明の画像表示装置の概略を示すブロック図である。
１は女子高校生とか若い人達が写真をシールタイプの写真を交換して楽しんでいるがそのシールのタイプを示し、２は写真だけの写真シールを、３は写真と名前が記載された名前シールを、４は写真とメモが記載されたメモシールを示す。図２は写真シールを示し、図３は名前シールを示し、図３では写真を配した写真エリアを左側に、名前を記載した名前エリアが右側に示されている。図４はメモシールを示し、写真エリアは上部にあり、メモが記載されたメモエリアは下側に表示されている。５はシールのタイプ選択部を示し、本発明の実施例では３つのシールを選択するようになっていて、それぞれのシールを挿入できる６で示す選択ボックスが所定数示されている。３種類のシールタイプを全て選択せずに、図１のように写真シールを１枚と、メモシールを２枚選択してもよい。
【００１４】
シールが３枚選択されると７で示す「OK」と記載されたＯＫ表示部をクリックすると、次の画面に遷移し、８で示すようにそれぞれのシールに使われる画像を選択する画像選択部を示す。次に９で示すように画像の上下方向、即ち天地方向を設定する天地設定部を示す。次に１０で示すように付加する広告を選択する広告選択部を示す。広告は図２、図３、図４では１１で広告エリアに示す。複数ある広告の中からそれぞれ広告を決めて広告を設定する。広告を設定した後で、１２にあるように必要なアンケートに答えるプリントに対する前準備が終わると１３はプリントに処されるプリンタを示す。
【００１５】
図４は本発明のフローチャートを示す。
Ｓ１でシールのタイプを選択する。次にＳ２に示すように一つのタイプを選択するとＳ3で示すように写真を選択し、Ｓ４で写真の上下方向、即ち天地方向を設定する。Ｓ５で示すようにシールがまだ１枚目であるのでＳ２に戻り、次に２枚目のシールタイプを決め、Ｓ３からＳ５まで進み、次に３枚目のシールタイプを決めて同じようにＳ３からＳ５まで進み、3枚目のシールを選択したので、Ｓ６に進み、広告を選択し、Ｓ７に進み、アンケートに回答し、回答が終わるとＳ８に進みプリントに処される。
【００１６】
図１の実施例の別の実施例を示し、図１における選択ボックス６が所定数分を示して、その選択ボックス６にすべて選択されたシールが埋まるようになっていて、全部の選択ボックスが埋まることで次の画面に移ることができるが、図６では選択ボックス６が一つでそこに選択されたシールが所定数はいったかどうかを検出して次の画面に移るようになっている。
【００１７】
以上に述べたように本発明の画像表示装置では、種類の異なる物品を合わせて所定数を注文できるので変化に富んだシールの入手が可能である。従って広告主がシールの印刷代を補填する無料のシールの印刷で、所定数のみのシールの印刷を引き受けないので採算性が悪くなることがない。
【図面の簡単な説明】
【００１８】
【図１】本発明の概要を示すブロック図
【図２】写真シールの図
【図３】名前シールの図
【図４】メモシールの図
【図５】本発明を示すフローチャート
【図６】本発明の概要を示す図１とは異なるブロック図
【図７】従来例を示す図
【符号の説明】
【００１９】
１        シールのタイプ
２        写真シール
３        名前シール
４        メモシール
５        シールのタイプ選択部
６        選択ボックス
７        ＯＫ表示部
８        画像選択部
９        天地設定部
１０        広告選択部
１１        広告エリア
１２        アンケート回答部
１３        プリンタ
２０        ディスプレイ画面
２１        電子アルバム画面
２２        プリントボックス画面
【図１】
2008262516.tif 000003
【図２】
2008262516.tif 000004
【図３】
2008262516.tif 000005
【図４】
2008262516.tif 000006
【図５】
2008262516.tif 000007
【図６】
2008262516.tif 000008
【図７】
2008262516.tif 000009